(57)【特許請求の範囲】
【請求項１】
面状部材がこの面状部材の厚さ方向両側に配置された押縁に対する前記面状部材の端部の呑み込み量をもって嵌め込まれている開口部を有し、この開口部の全周のうち、少なくとも上縁に力骨を構成するチャンネル材が配置されているとともに、前記開口部の全周のうち、少なくとも上縁と下縁とに前記押縁が配置されている防火用仕切り体において、前記上縁に配置された前記チャンネル材が開口端を前記面状部材の側に向けて配置され、このチャンネル材と対向する側の前記面状部材の上端部と、前記上縁における前記押縁の一部とが前記チャンネル材の内部に挿入され、前記面状部材の上端部の前記呑み込み量が前記面状部材の下端部の前記呑み込み量よりも大きくなっていることを特徴とする防火用仕切り体。
【請求項２】
請求項１に記載の防火用仕切り体において、前記開口部の全周のうち、少なくとも上縁と下縁とに前記チャンネル材と前記押縁とが配置され、これらの押縁は前記開口部の内側の面部となっている内端面部を有し、前記面状部材の上端部の前記呑み込み量は、前記開口部の前記上縁に配置されている前記押縁の内端面部から前記面状部材の上端面までの距離であり、前記面状部材の下端部の前記呑み込み量は、前記開口部の前記下縁に配置されている前記押縁の内端面部から前記面状部材の下端面までの距離であることを特徴とする防火用仕切り体。
【請求項３】
請求項２に記載の防火用仕切り体において、前記開口部の前記下縁に配置されている前記チャンネル材は、開口端を前記面状部材の反対側に向けて配置されていることを特徴とする防火用仕切り体。
【請求項４】
請求項１又は２に記載の防火用仕切り体において、前記開口部の全周に前記チャンネル材が配置され、これらのチャンネル材は開口端を前記面状部材の側に向けて配置されているとともに、前記呑み込み量が小さくなっている側の前記面状部材の下端部と、この下端部と対向し、前記下縁に配置された前記チャンネル材との間にスペーサが介在されていることを特徴とする防火用仕切り体。
【請求項５】
請求項１又は２に記載の防火用仕切り体において、この防火用仕切り体は引戸であり、開閉時の衝撃が生ずる側とは左右反対側の前記開口部の縁部にも前記チャンネル材が配置され、このチャンネル材は、開口端を前記面状部材の側に向けて配置され、このチャンネル材と対向する側の前記面状部材の端部と、前記開閉時の衝撃が生ずる側とは左右反対側の前記開口部の縁部における前記押縁の一部とが前記チャンネル材の内部に挿入され、前記面状部材における前記開閉時の衝撃が生ずる側とは左右反対側となっている前記端部の前記呑み込み量が、前記面状部材における前記開閉の衝撃が生ずる側の端部の前記呑み込み量よりも大きくなっていることを特徴とする防火用仕切り体。
【請求項６】
請求項１〜５のいずれかに記載の防火用仕切り体において、前記押縁と前記面状部材との間にバックアップ材が介入され、それぞれの前記押縁にはこれらのバックアップ材の前記開口部からの脱落を防止するバックアップ材脱落防止部材が取り付けられていることを特徴とする防火用仕切り体。
【請求項７】
請求１〜６のいずれかに記載の防火用仕切り体において、この防火用仕切り体は防火戸であり、前記面状部材は網入りガラスであることを特徴とする防火用仕切り体。
【発明の詳細な説明】
【０００１】
【発明の属する技術分野】
本発明は、建物の内部や外面に防火用に配置される仕切り体に係り、例えば、上吊り式引戸を含む防火戸等に利用できるものである。
【０００２】
【背景技術】
図９は、建物の内部を仕切るために使用されている従来の一般的な引戸の窓の構造を示し、この図は、引戸の開口部である窓の上縁部分の断面を示している。引戸５０に形成されている窓５１の上縁には、窓５１の周囲の強度を確保するための力骨５２が配置され、この力骨５２から突出した位置において、窓５１の上縁の押縁５３，５４が網入りガラス５５の両側に設けられ、これらの押縁５３，５４とガラス５５との間にバックアップ材５６，５７が介入されている。力骨５２はチャンネル材からなり、このチャンネル材は開口端をガラス５５の反対側に向けて引戸５０の内部に設けられている。
【０００３】
一方の押縁５３は、窓５１の外部に露出する外面部５３Ａと、ガラス５５と対面する内面部５３Ｂと、これらの外面部５３Ａと内面部５３Ｂの窓内側の端部間を繋ぐ内端面部５３Ｃと、内面部５３Ｂの窓外側の端部から押縁５４側へ延びる外端面部５３Ｄとからなる。他方の押縁５４は、窓５１の外部に露出する外面部５４Ａと、ガラス５５と対面する内面部５４Ｂと、これらの外面部５４Ａと内面部５４Ｂの窓内側の端部間を繋ぐ内端面部５４Ｃとからなる。
【０００４】
窓５１にガラス５５を嵌め込み固定するときは、押縁５３の外端面部５３Ｄを力骨５２にビス５８で止着した後、内面部５３Ｂに押し当てたバックアップ材５６にガラス５５を当てがい、さらにバックアップ材５７をガラス５５に当て、この後、押縁５４の内端面部５４Ｃをビス５９で力骨５２に取り付ける。
【０００５】
【発明が解決しようとする課題】
以上のように構成されている引戸５０を建物の防火用とする場合には、防火に関する法律が求めている各性能を満たすことが必要になる。その一つは、ガラス５５が高温に加熱されて軟化し、この結果、ガラス５５が垂れた状態になっても、窓５１の上縁に隙間が発生しないことである。このような性能を満たすためには、窓５１の上縁におけるガラス５５の呑み込み量を図９で示されているＬ２よりも大きくすることが必要になるが、図９で示した構造を基本的に変えることになるガラス嵌め込み構造は、窓５１の周辺の基本設計等の変更が要求されるため、好ましくなく、チャンネル材による力骨を使用して窓の強度を確保する図９の構造を基本的に引き継いだ構造とすることが望まれる。
【０００６】
本発明の目的は、チャンネル材による力骨を使用しながら、ガラス等の面状部材の端部を窓等の開口部の縁部に呑み込ませる量を防火用として要求される大きさにできるようになる防火用仕切り体を提供するところにある。
【０００７】
【課題を解決するための手段】
本発明に係る防火用仕切り体は、面状部材が嵌め込まれている開口部を有し、この開口部の全周のうち、少なくとも上縁部にチャンネル材が開口端を面状部材の側に向けて配置され、このチャンネル材と対向する側の面状部材の端部がチャンネル材の内部に挿入されていることを特徴とするものである。
【０００８】
この防火用仕切り体によると、チャンネル材が開口部の少なくとも上縁部に配置されているため、このチャンネル材を力骨とした開口部構造とすることができ、チャンネル材を使用したこれまでの基本構造を踏襲できる。また、チャンネル材は開口端を面状部材の側に向けて配置され、面状部材の端部がチャンネル材の内部に挿入されるため、面状部材の端部を開口部の上縁部へ充分挿入できるようになり、防火用として必要な呑み込み量を確保できるようになる。
【０００９】
面状部材の端部を内部に挿入するチャンネル材は開口部の上縁部だけに設けてもよいが、防火用仕切り体が例えば引戸のように開閉動するものであって、開閉時に例えば戸当たり部材への当たりによって衝撃が生ずるものである場合には、開閉時の衝撃が生ずる側とは反対側の開口部の縁部にもチャンネル材を開口端を面状部材の側に向けて配置し、このチャンネル材と対向する側の面状部材の端部をチャンネル材の内部に挿入することが好ましい。
【００１０】
このようにすると、防火用仕切り体の開閉時に衝撃が生じ、この衝撃のために面状部材が衝撃が生じた側に移動しても、衝撃が生じた側とは反対側の開口部の縁部への面状部材の呑み込み量が必要量以下に小さくなることを防止でき、面状部材による開口部の遮断性を維持できる。
【００１１】
また、開口部の全周にチャンネル材を配置し、これらのチャンネル材の開口端を面状部材の側に向けてその内部に面状部材のそれぞれの端部を挿入するようにしてもよい。このようにすると、開口部の全周の強度をチャンネル材による力骨で確保できるとともに、開口部の全周に設ける全部のチャンネル材を同じ溝深さを有するものとすることができ、使用するチャンネル材の共通化を図ることが可能になる。
【００１２】
このように開口部の全周にチャンネル材を配置するとともに、これらのチャンネル材の開口端を面状部材の側に向ける場合には、開口部の縁部への呑み込み量を大きくする必要のない側の面状部材の端部と、この端部と対向するチャンネル材との間には、スペーサを介在させてもよい。
【００１３】
このようにすると、開口部の全周に力骨としてのチャンネル材を配置し、これらのチャンネル材の共通化を図っても、開口部の縁部への呑み込み量を大きくする必要のない側にはスペーサが配置されるため、呑み込み量の大きさを大きくしなければならない側の面状部材の端部の突出長さ分だけ面状部材の面積を大きくすればよくなる。これによると、この面状部材を、同じ大きさの開口部を有する他の種類の防火用仕切り体に使用する面状部材と共通化させることができるようになる。
【００１４】
また、面状部材の両側に押縁を配置し、これらの押縁と面状部材との間にバックアップ材が介入されている場合には、それぞれの押縁に、これらのバックアップ材の開口部からの脱落を防止するバックアップ材脱落防止部材を取り付けてもよい。
【００１５】
このようにすると、火災発生等で防火用仕切り体及びバックアップ材が高温に加熱されても、バックアップ材が開口部から脱落するのをバックアップ材脱落防止部材で防止できるようになり、バックアップ材による押縁と面状部材との間の気密性を維持できる。
【００１６】
このようなバックアップ材脱落防止部材は開口部の上縁部だけに設けてもよく、開口部の上縁部と他の縁部に設けてもよく、あるいは開口部の全部の縁部に設けてもよい。
【００１７】
以上の本発明は開口部が形成された任意な防火用仕切り体に適用でき、その一例は、上吊り式を含む防火用引戸であり、他の例は防火用開き戸である。また、本発明は、開口部が形成された固定式又は可動式の防火用間仕切りパネルにも適用でき、防火用壁にも適用できる。
【００１８】
また、本発明に係る防火用仕切り体は建物内部に配置されるものでもよく、建物外面に配置されるものでもよい。建物外面に配置される防火用仕切り体の一例は玄関ドアであり、また、他の例は窓サッシであり、さらに、本発明は、ショーウィンドや建物入り口等に設けられる嵌め殺し窓にも適用できる。
【００１９】
また、防火用仕切り体の開口部に嵌め込まれる面状部材はその防火用仕切り体の種類や用途等に応じたものでよく、例えば、網入りガラスや耐熱ガラスでもよく、金属製又は合成樹脂製又は木製又はこれらの複合材料による面材でもよい。
【００２０】
さらに、開口部の形状は四角形でもよく、真円形や楕円形でもよく、三角形でもよく、五角形や六角形等の多角形でもよい。
【００２１】
【発明の実施の形態】
以下に本発明の実施形態を図面に基づいて説明する。図面は、本発明が上吊り式の防火用引戸に適用された場合を示している。初めにこの上吊り式の防火用引戸１を説明する。
【００２２】
引戸１は、図１に示すように、縦枠２と上枠３と縦額縁４と下枠５とで囲まれた建物内の開口部６を開閉するもので、開口部６を開けたときの引戸１は戸袋７の内部に収納される。取り外し自在なカバー３Ａで開閉できる上枠３の内部には、図２で示す引戸１の上吊り駆動機構８が配置され、この駆動機構８は、図２及び図２のIII−III線断面図である図３に示すように、上枠３の内面の複数の補強部材９に固定されて引戸移動に延びている取付部材１０に取り付けられた各装置、手段、部材からなる。
【００２３】
具体的には、駆動機構８は、取付部材１０の引戸閉じ側端部に取り付けられた渦巻きばね装置１１と、取付部材１０のほぼ全長に亘る長さを有するスライドレール１２と、スライドレール１２の上部においてピストンロッド１３Ａを引戸開き側に向けて取付部材１０に取り付けられたエアダンパー１３とを含んで構成されている。図３で示すように、スライドレール１２は、取付部材１０に固定されていて引戸１の移動方向に長尺となった不動部材１２Ａと、この不動部材１２Ａと水平方向に対面し、引戸１の移動方向に短尺となっている可動部材１２Ｂと、これらの不動部材１２Ａと可動部材１２Ｂとの間に配置された多数のボール１２Ｃを回転自在に保持し、引戸１の移動方向への長さを有するボールリテーナ１２Ｄとからなり、可動部材１２Ｂはボール１２Ｃでスライドレール１２の長手方向に移動自在である。
【００２４】
可動部材１２Ｂは引戸１の幅とほぼ同じ長さを有し、この可動部材１２Ｂに図２で示すビス１４で吊り下げ部材１５，１６が取り付けられており、これらの吊り下げ部材１５，１６のピン１７に、引戸１の上端に取り付けられているフック部材１８が係合されている。このため、引戸１は、スライドレール１２に吊り下げ部材１５，１６とフック部材１８を介してスライド自在に吊り下げ支持されている。
【００２５】
一方の吊り下げ部材１５には渦巻きばね装置１１から延びるワイヤー１９の端部が連結されており、このため、図１で示す把持部１Ａで引戸１を戸袋７側へ開き移動させた場合には、引戸１はスライドレール１２と図１の下枠５のガイドローラ２０とで案内されながら開き移動するとともに、繰り出されるワイヤー１９で渦巻きばね装置１１の渦巻きばねが蓄圧される。このため、把持部１Ａから手を離すと、蓄圧された渦巻きばねのばね力によりワイヤー１９を介して引戸１は閉じ側に自動移動して自閉する。
【００２６】
また、図２で示したエアダンパー１３のピストンロッド１３Ａの先端にはマグネット２１が設けられ、前記吊り下げ部材１５，１６のうちのピストンロッド１３Ａと引戸開閉方向に対向する吊り下げ部材１６の側面にもマグネット２２が設けられている。引戸１を開き移動させた場合には、互いに吸着しているマグネット２１，２２を介してエアダンパー１３のピストンロッド１３Ａは伸び挙動し、引戸１が一定距離移動すると、マグネット２１と２２は分離する。引戸１が閉じ移動したときには、マグネット２１と２２が再度吸着した後にピストンロッド１３Ａは縮み挙動し始め、この後はピストンロッド１３Ａの伸び挙動時にエアダンパー１３の内部に吸引されたエアがオリフィスで絞られながら排出されるため、引戸１の自閉は減速して行われる。
【００２７】
図１に示すとおり、引戸１には開口部である四角形の窓３１が形成され、この窓３１には、図１のVI−VI線断面図である図４及びV−V線断面図である図５に示すように、面状部材である網入りガラス３５がはめ込まれている。図４に示すとおり、窓３１の上下縁は、引戸１の内部に配置されたチャンネル材による力骨３２，４２と、力骨３２，４２から窓３１の内側に突出した位置において、ガラス３５の両側に配置された押縁３３，３４，４３，４４と、ガラス３５と押縁３３，３４，４３，４４との間に介入され、これらの間の隙間を塞いでいるバックアップ材３６，３７，４６，４７とで形成されている。
【００２８】
押縁３３，４３は、窓３１の外部に露出した外面部３３Ａ，４３Ａと、ガラス３５と対面する内面部３３Ｂ，４３Ｂと、これらの外面部３３Ａ，４３Ａと内面部３３Ｂ，４３Ｂの窓内側の端部間を繋ぐ内端面部３３Ｃ，４３Ｃと、内面部３３Ｂ，４３Ｂの窓外側の端部から押縁３４，４４側へ延びる外端面部３３Ｄ，４３Ｄとからなる。他方の押縁３４，４４は、窓３１の外部に露出する外面部３４Ａ，４４Ａと、ガラス３５と対面する内面部３４Ｂ，４４Ｂと、これらの外面部３４Ａ，４４Ａと内面部３４Ｂ，４４Ｂの窓内側の端部間を繋ぐ内端面部３４Ｃ，４４Ｃとからなる。
【００２９】
押縁３３，４３の外端面部３３Ｄ，４３Ｄは力骨３２，４２に止着具であるビス３８，４８で止着され、押縁３４，４４の内端面部３４Ｃ，４４Ｃは止着具であるビス３９，４９で力骨３２，４２に止着されている。
【００３０】
以上において、窓３１の下縁の力骨４２となっているチャンネル材は、その開口端をガラス３５の反対側に向けて配置されており、このチャンネル材は図９の力骨５２のチャンネル材と同じものである。また、窓３１の下縁の押縁４３，４４は図９の押縁５３，５４と同じものである。したがって、窓３１の下縁でのガラス３５の呑み込み量は、図９で示した呑み込み量と同じＬ２になっている。
【００３１】
一方、窓３１の上縁の力骨３２となっているチャンネル材は、その開口端をガラス３５の側に向けて配置されている。また、窓３１の上縁の押縁３３，３４は、内面部３３Ｂ，３４Ｂの幅が下縁の押縁４３，４４の内面部４３Ｂ，４４Ｂの幅よりも大きいものとなっている。そして、ガラス３５の上部３５Ａは力骨３２の内部に挿入されている。
【００３２】
これにより、窓３１の上縁におけるガラス３５の呑み込み量は、上記Ｌ２よりも大きいＬ１となっており、このＬ１は、防火に関する法律が要求している１３mmと同じか、これよりも大きいものである。
【００３３】
窓３１の左右縁は図５に示され、この左右縁は、下縁と同じ力骨４２と押縁４３，４４とバックアップ材４６，４７とで形成されている。このため、左右縁でのガラス３５の呑み込み量はＬ２である。
【００３４】
以上の引戸１は防火性を有する鋼鉄製であり、その内部には、図面では省略されているが、断熱材が詰め込まれている。また、網入りガラス３５は耐熱性を有し、バックアップ材３６，３７，４６，４７も耐熱性を有するものである。
【００３５】
以上説明したように本実施形態では、引戸１の窓３１の上縁の強度を確保するための力骨３２になっているチャンネル材は、その開口端がガラス３５の側に向いて配置され、このチャンネル材の内部にガラス３５の上部３５Ａを挿入したため、窓３１の上縁でのガラス３５の呑み込み量Ｌ１を大きくできる。このため、火災発生時に引戸１及びガラス３５が高温に加熱され、軟化したガラス３５が垂れた状態になっても、ガラス３５の上部３５Ａが押縁３３，３４から抜けることはなく、ガラス３５による窓３１の遮断性を確保できる。
【００３６】
また、このように窓３１の上縁でのガラス３５の大きな呑み込み量Ｌ１を確保しても、窓３１の上縁の強度はチャンネル材による力骨３２で得ているため、窓の上縁の強度を図９のようにチャンネル材で確保した上吊り式非防火用引戸に対し、新たに生産する上吊り式防火用引戸１の窓３１の上縁でのガラス３５の呑み込み量を大きくしても、チャンネル材で窓強度を確保する基本設計を変更する必要はなく、上吊り式防火用引戸１の設計、生産を容易に行えるようになる。
【００３７】
図６で示した実施形態の上吊り式防火用引戸１’では、窓３１の上縁だけではなく、窓３１の引戸開き側の縁部（図６では右縁）も、開口端をガラス３５’の側に向けたチャンネル材による力骨３２と、押縁３３，３４と、バックアップ材３６，３７とで形成し、力骨３２の内部にガラス３５’の端部を挿入することにより、この縁部でのガラス３５’の呑み込み量をＬ１にしている。
【００３８】
この実施形態は、例えば、図２で示した上吊り駆動機構８がエアダンパー１３を用いずに構成され、したがって引戸１’を強く閉じたときに、戸当たり部材になっている図１の縦枠２に引戸１’が大きな衝撃で当たるおそれがある場合に好適なものである。すなわち、引戸１’が縦枠２に大きな衝撃で当たると、ガラス３５’はこの衝撃が生じた側に移動し、図６で示したビス４８の頭部と、力骨４２側のガラス３５’の端部との間に大きな隙間があると、その分だけガラス３５’の位置は全体的にずれるおそれがあるが、衝撃が生ずる側とは反対側の窓３１の縁部でのガラス３５’の呑み込み量を大きなＬ１にしておくことにより、火災発生時にガラス３５’が軟化しても、この縁部でガラス３５’の抜け出しが発生するのを有効に防止できる。
【００３９】
また、窓の上下縁と左右縁の全部を、ガラスの側に開口端を向けたチャンネル材による力骨３２と、押縁３３，３４と、バックアップ材３６，３７とで形成すると、これらの縁部の構造が同じになるため、使用する部材を共通化させることができる。
【００４０】
図７の実施形態の上吊り式防火用引戸１”は、このように窓３１の上下縁と左右縁の全部を、ガラス３５の側に開口端を向けたチャンネル材による力骨３２と、押縁３３，３４と、バックアップ材３６，３７とで形成した場合であって、ガラス３５の呑み込み量を大きなＬ１にする必要のない箇所に、ガラス３５の呑み込み量をＬ２にするスペーサ２３を配置した場合を示す。
【００４１】
このように、ガラス３５の呑み込み量を大きくする必要のない箇所に配置されている力骨３２と、この力骨３２と対向するガラス３５の端部３５Ｂ（図７で示されているこの端部３５Ｂは、ガラス３５の下部である）との間にスペーサ２３を介在させることにより、他の種類の防火用引戸のために予め用意されていて、図４と図５で示されたガラスと同じ寸法になっているガラスをこの実施形態の上吊り式防火用引戸１”にそのまま使用できるようになり、上記他の種類の防火用引戸との間でガラスの共通化を図ることができるようになる。
【００４２】
図８は、窓３１の上縁に配置したバックアップ材３６，３７が窓１から脱落するのを防止するようにした実施形態を示す。すなわち、窓１の上縁を形成している押縁３３，３４には支持部材２４，２５がビス２６で取り付けられ、これらの支持部材２４，２５でバックアップ材３６，３７が支持されている。
【００４３】
この実施形態によると、火災発生でバックアップ材３６，３７の硬度が低下しても、バックアップ材脱落防止部材になっている支持部材２４，２５により、バックアップ材３６，３７が窓３１から脱落するのを防止し、バックアップ材３６，３７によるガラス３５と押縁３３，３４との間の気密性を維持できる。
【００４４】
なお、以上の各実施形態において、窓の上下縁と左右縁に設けるバックアップ材はこれらの縁部ごとに別のものでもよく、窓の複数の縁部又は全周に亘って連続したものでもよい。
【００４５】
【発明の効果】
本発明によると、チャンネル材による力骨を使用しながら、ガラス等の面状部材の端部を窓等の開口部の縁部に呑み込ませる量を防火用として要求される大きさにできるという効果を得られる。
【図面の簡単な説明】
【図１】本発明の一実施形態に係る防火用仕切り体である上吊り式引戸の全体を示す正面図である。
【図２】図１で示す上枠の内部に組み込まれた上吊り駆動機構の一部破断の正面図である。
【図３】図２のIII−III線断面図である。
【図４】図１のIV−IV線断面図である。
【図５】図１のＶ−Ｖ線断面図である。
【図６】開閉時の衝撃が生ずる側とは反対側のガラスの呑み込み量を大きくした実施形態を示す図５と同様の図である。
【図７】ガラスの呑み込み量を大きくする必要のない箇所にスペーサを設けた実施形態を示す図４と同様の図である。
【図８】バックアップ材脱落防止部材を設けた実施形態を示す要部断面図である。
【図９】非防火用の引戸の窓構造を示す要部断面図である。
【符号の説明】
１，１’，１”  上吊り式防火用引戸
２３  スペーサ
２４，２５  バックアップ材脱落防止部材である支持部材
３１  開口部である窓
３２，４２  チャンネル材である力骨
３３，３４，４３，４４  押縁
３５，３５’  面状部材である網入りガラス
３６，３７，４６，４７  バックアップ材
Ｌ１，Ｌ２  呑み込み量
【図１】
0003926509.tif 000002
【図２】
0003926509.tif 000003
【図３】
0003926509.tif 000004
【図４】
0003926509.tif 000005
【図５】
0003926509.tif 000006
【図６】
0003926509.tif 000007
【図７】
0003926509.tif 000008
【図８】
0003926509.tif 000009
【図９】
0003926509.tif 000010